(57)【特許請求の範囲】
【請求項１】
第１伝送速度を有する入力される第１イーサネット信号を用いて基準クロック信号を生成し、前記基準クロック信号に応答して、前記第１イーサネット信号と前記第１伝送速度とは異なる第２伝送速度を有する第２イーサネット信号とを多重化し、多重化されたイーサネット信号を出力するように構成される第１ユニットと、
前記多重化されたイーサネット信号を用いて前記基準クロック信号を生成し、前記基準クロック信号に応答して前記多重化されたイーサネット信号から前記第２イーサネット信号を分離し、前記第１イーサネット信号を出力するように構成される第２ユニットと、
前記第１ユニットと第２ユニットとを連結し、前記多重化されたイーサネット信号を前記第１ユニットから前記第２ユニットに伝送する伝送媒体と、
を備え、前記多重化されたイーサネット信号の伝送速度は前記第１伝送速度に等しい、通信システム。
【請求項２】
前記第１伝送速度は、秒当たりギガビット単位の伝送速度であり、
前記第２伝送速度は、秒当たりメガビット単位の伝送速度である請求項１に記載の通信システム。
【請求項３】
前記第１ユニットは、
前記第１イーサネット信号を用いてクロック信号を復元する第１復元器と、
前記第１イーサネット信号を前記第２伝送速度を持つ第１内部信号で並列化して出力する第１直並列変換器と、
前記復元されたクロック信号を用いて基準クロック信号を生成する第１位相固定ループと、
前記基準クロック信号に応答して、前記第１内部信号を符号化処理して出力する第１コーディング部と、
前記基準クロック信号に応答して、前記符号化処理された第１内部信号と前記第２イーサネット信号とを前記第１伝送速度を持つように直列化して、前記多重化されたイーサネット信号を出力する第２直並列変換器と、を備える請求項１に記載の通信システム。
【請求項４】
前記第１コーディング部は、
前記第１内部信号を１０Ｂ８Ｂでデコード処理して出力する第１デコーダと、
前記１０Ｂ８Ｂでデコード処理された第１内部信号を８Ｂ９Ｂでエンコード処理して出力する第１エンコーダと、を備える請求項３に記載の通信システム。
【請求項５】
前記第２ユニットは、
前記多重化されたイーサネット信号を用いてクロック信号を復元する第２復元器と、
前記多重化されたイーサネット信号を前記第２伝送速度を持つ第２内部信号で並列化して出力する第３直並列変換器と、
前記復元されたクロック信号を用いて基準クロック信号を生成する第２位相固定ループと、
前記基準クロック信号に応答して、前記第２内部信号から前記第２イーサネット信号を分離して第３内部信号を出力するデバイダと、
前記基準クロック信号に応答して、前記第３内部信号を符号化処理して出力する第２コーディング部と、
前記基準クロック信号に応答して、前記符号化処理された第３内部信号を前記第１伝送速度を持つように直列化して前記第１イーサネット信号を出力する第４直並列変換器と、を備える請求項１に記載の通信システム。
【請求項６】
前記第２コーディング部は、
前記第３内部信号を９Ｂ８Ｂでデコード処理する第２デコーダと、
前記９Ｂ８Ｂでデコード処理された前記第３内部信号を８Ｂ１０Ｂでエンコード処理する第２エンコーダと、を備える請求項５に記載の通信システム。
【請求項７】
前記第１伝送速度は１．２５Ｇｂｐｓであり、
前記第２伝送速度は１２５Ｍｂｐｓである請求項１に記載の通信システム。
【請求項８】
前記伝送媒体は光伝送媒体である請求項１に記載の通信システム。
【発明の詳細な説明】
【技術分野】
【０００１】
本発明は、イーサネット（登録商標）基盤の通信システムに係り、さらに詳細には、ギガビット・イーサネット信号及びファスト・イーサネット信号を用いる通信システムに関する。
【背景技術】
【０００２】
ユーザトラフィックの増加及び通信網の高速化の要求に応じて、秒当たりメガビット単位の伝送速度で規格化されたファスト・イーサネット基盤の通信システムからさらに進んで、秒当たりギガビット単位の伝送速度で規格化されたギガビット・イーサネット基盤の通信システムが広く活用されている。
【０００３】
しかし、ギガビット・イーサネット基盤の通信システムにおいて、メインチャネルとは異なってシステムを構成する各種装備の状態を管理するための監視（ｓｕｐｅｒｖｉｓｏｒｙ）チャネルとしてファスト・イーサネットが主に採用されるにつれて、ファスト・イーサネット専用の波長の割り当て、ファスト・イーサネット専用の物理的な回線の追加、長距離通信のための構成の追加などによって設置及び運用コストが増加するという問題点があった。
【発明の概要】
【発明が解決しようとする課題】
【０００４】
本発明の技術的思想が解決しようとする技術的課題は、追加構成なしでもギガビット・イーサネット信号とファスト・イーサネット信号とを一つの物理的回線を通じて同時に伝送できるイーサネット基盤の通信システムを提供することである。
【課題を解決するための手段】
【０００５】
本発明の技術的思想による一様態による通信システムは、入力される第１イーサネット信号を用いて基準クロック信号を生成し、前記基準クロック信号に応答して前記第１イーサネット信号及び第２イーサネット信号を多重化し、多重化されたイーサネット信号を出力するように構成される第１ユニットと、前記多重化されたイーサネット信号を用いて前記基準クロック信号を生成し、前記基準クロック信号に応答して前記多重化されたイーサネット信号から前記第２イーサネット信号を分離し、前記第１イーサネット信号を出力するように構成される第２ユニットと、前記第１ユニットと第２ユニットとを連結し、前記多重化されたイーサネット信号を前記第１ユニットから前記第２ユニットに伝送する伝送媒体と、を備える。
【０００６】
一部の実施形態において、前記第１イーサネット信号は、秒当たりギガビット単位の第１伝送速度を持ち、前記第２イーサネット信号は、秒当たりメガビット単位の第２伝送速度を持つ。
【０００７】
一部の実施形態において、前記第１ユニットは、前記第１イーサネット信号を用いてクロック信号を復元する第１復元器と、前記第１イーサネット信号を前記第２伝送速度を持つ第１内部信号で並列化して出力する第１直並列変換器と、前記復元されたクロック信号を用いて基準クロック信号を生成する第１位相固定ループと、前記基準クロック信号に応答して、前記第１内部信号を符号化処理して出力する第１コーディング部と、前記基準クロック信号に応答して、前記符号化処理された第１内部信号と前記第２イーサネット信号とを前記第１伝送速度を持つように直列化して、前記多重化されたイーサネット信号を出力する第２直並列変換器と、を備える。
【０００８】
一部の実施形態において、前記第１コーディング部は、前記第１内部信号を１０Ｂ８Ｂデコード処理して出力する第１デコーダと、前記１０Ｂ８Ｂデコード処理された第１内部信号を８Ｂ９Ｂエンコード処理して出力する第１エンコーダと、を備える。
【０００９】
一部の実施形態において、前記第２ユニットは、前記多重化されたイーサネット信号を用いてクロック信号を復元する第２復元器と、前記多重化されたイーサネット信号を前記第２伝送速度を持つ第２内部信号で並列化して出力する第３直並列変換器と、前記復元されたクロック信号を用いて基準クロック信号を生成する第２位相固定ループと、前記基準クロック信号に応答して、前記第２内部信号から前記第２イーサネット信号を分離して第３内部信号を出力するデバイダと、前記基準クロック信号に応答して、前記第３内部信号を符号化処理して出力する第２コーディング部と、前記基準クロック信号に応答して、前記符号化処理された第３内部信号を前記第１伝送速度を持つように直列化して前記第１イーサネット信号を出力する第４直並列変換器と、を備える。
【００１０】
一部の実施形態において、前記第２コーディング部は、前記第３内部信号を９Ｂ８Ｂデコード処理する第２デコーダと、前記９Ｂ８Ｂデコード処理された前記第３内部信号を８Ｂ１０Ｂエンコード処理する第２エンコーダと、を備える。
【００１１】
一部の実施形態において、前記第１伝送速度は１．２５Ｇｂｐｓであり、前記第２伝送速度は１２５Ｍｂｐｓである。
【００１２】
一部の実施形態において、前記伝送媒体は光伝送媒体である。
【発明の効果】
【００１３】
本発明の技術的思想によるイーサネット基盤の通信システムは、送信端と受信端との間に互いに異なる伝送速度を持つギガビット・イーサネット信号及びファスト・イーサネット信号を多重化して一つの物理的回線を通じて伝送することを特徴とする。
【図面の簡単な説明】
【００１４】
【図１】本発明の実施形態による通信システムを説明するための図面である。
【図２】本発明の実施形態による第１ユニットの一部構成を概略的に示す図面である。
【図３】本発明の実施形態による第２ユニットの一部構成を概略的に示す図面である。
【発明を実施するための形態】
【００１５】
本発明は、多様な変更が可能であり、かつ様々な実施形態を持つことができるところ、特定の実施形態を図面に例示し、これを詳細な説明を通じて詳細に説明しようとする。しかし、これは、本発明を特定の実施形態に限定しようとするものではなく、本発明の思想及び技術範囲に含まれる全ての変更、均等物ないし代替物を含むと理解されねばならない。
【００１６】
本発明を説明するに当って、関連の公知技術に関する具体的な説明が本発明の趣旨を曖昧にすると判断される場合にはその詳細な説明を省略する。また、本明細書の説明過程で用いられる数（例えば、第１、第２など）は、一つの構成要素を他の構成要素から区分するための識別記号に過ぎない。
【００１７】
また、本明細書において、一つの構成要素が他の構成要素に「連結される」または「接続される」と言及された時には、前記一つの構成要素が前記他の構成要素に直接連結されてもよく、または直接接続されてもよいが、特に逆の記載がない限り、中間にさらに他の構成要素を介して連結されるか、または接続されることもあると理解されねばならない。
【００１８】
また、本明細書に記載の「部」、「器」、「子」、「モジュール」などの用語は少なくとも一つの機能や動作を処理する単位を意味し、これはハードウェアやソフトウェア、またはハードウェアとソフトウェアとの結合で具現される。
【００１９】
そして、本明細書の構成部の区分は、各構成部が担当する主機能別に区分したことに過ぎない。すなわち、以下で説明する２つ以上の構成部が一つの構成部に合わせられるか、または一つの構成部がさらに細分化された機能別に２つ以上に分化して備えられてもよい。そして、以下で説明する構成部それぞれは、自分の担当する主機能以外にも他の構成部の担当する機能のうち一部またはすべての機能をさらに行ってもよく、また構成部それぞれが担当する主機能のうち一部の機能が他の構成部によって行われてもよいということは言うまでもない。
【００２０】
以下、本発明の実施形態を順次に詳細に説明する。
【００２１】
図１は、本発明の実施形態による通信システム１０を説明するための図面である。通信システム１０は、光通信基盤の各種装備の間に適用される。例えば、通信システム１０は、光加入者ネットワークを構成するＯＬＴ（ｏｐｔｉｃａｌ  ｌｉｎｅ  ｔｅｒｍｉｎａｌ）とＯＮＵ（ｏｐｔｉｃａｌ  ｎｅｔｗｏｒｋ  ｕｎｉｔ）との間または２つ以上のＯＮＵの間に適用される。または、通信システム１０は、光通信基盤の基地局システムにおいてハブと無線遠隔ヘッドとの間、光通信基盤の中継器システムにおいてドナーとリモートとの間に適用される。一方、図１で通信システム１０は点対点構造のネットワーク構造を持つと示されているが、これに限定されるものではない。通信システム１０は、点対多の構造、多対多の構造、リング状の構造、バス型構造、星型構造などの多様なネットワーク構造を持つことができるということは言うまでもない。
【００２２】
図１を参照すれば、通信システム１０は、第１ユニット１００、第２ユニット２００、及び伝送媒体３００を備える。
【００２３】
第１ユニット１００は第１イーサネット信号を受信する。前記第１イーサネット信号は、例えば、上位ノードなどから光伝送媒体のような伝送媒体を通じて提供される信号であり、または通信サービスのためのメイン信号である。前記第１イーサネット信号は秒当たりギガビット単位の第１伝送速度を持つ。前記第１伝送速度は、例えば、１．２５Ｇｂｐｓであり、以下では、前記第１伝送速度が１．２５Ｇｂｐｓである場合を例として挙げて説明する。
【００２４】
第１ユニット１００は第２イーサネット信号を生成する。前記第２イーサネット信号は、例えば、第２ユニット２００を制御するか、または第２ユニット２００の状態を監視するための信号である。前記第２イーサネット信号は前記第１イーサネット信号より低い伝送速度を持つ。前記第２イーサネット信号は、例えば、秒当たりメガビット単位の第２伝送速度を持つ。前記第２伝送速度は、例えば、１２５Ｍｂｐｓである。以下では、前記第２伝送速度が１２５Ｍｂｐｓである場合を例として挙げて説明する。
【００２５】
第１ユニット１００は、前記第１イーサネット信号を用いて基準クロック信号を生成し、前記基準クロック信号に応答して前記第１イーサネット信号及び前記第２イーサネット信号を多重化する。第１ユニット１００は、多重化されたイーサネット信号を伝送媒体３００を通じて第２ユニット２００に伝送する。これについては、以下で図２を参照してさらに詳細に説明する。
【００２６】
第２ユニット２００は、伝送媒体３００を通じて入力される多重化されたイーサネット信号を用いて前記基準クロック信号を生成し、前記基準クロック信号に応答して前記多重化されたイーサネット信号から前記第２イーサネット信号を分離し、前記第１イーサネット信号を復元して出力する。これについては、以下で図３を参照してさらに詳細に説明する。
【００２７】
伝送媒体３００は第１ユニット１００と第２ユニット２００とを連結でき、前記多重化されたイーサネット信号を第１ユニット１００から第２ユニット２００に伝送できる。伝送媒体３００は、例えば、光伝送媒体で構成される。
【００２８】
このように、通信システム１０では、互いに異なる伝送速度を持つ前記第１イーサネット信号と前記第２イーサネット信号とが、それぞれ別途の伝送媒体を通じて第１ユニット１００から第２ユニット２００に伝送されずに多重化されて、単一の伝送媒体３００を通じて第１ユニット１００から第２ユニット２００に伝送される。
【００２９】
これによって、通信システム１０は、前記第１イーサネット信号と前記第２イーサネット信号それぞれのための別途の回線構築及び運用のための追加コストを必要としないため、システムの設置、運用などのコストが低減する。
【００３０】
図２は、本発明の実施形態による第１ユニット１００の一部構成を概略的に示す図面である。図２を説明するに当って図１を共に参照して説明するが、説明の便宜のために図１と重なる説明は省略する。
【００３１】
図１及び図２を参照すれば、第１ユニット１００は、第１光受信器１１０、第１復元器（ＣＤＲ）１２０、第１位相固定ループ（ＰＬＬ）１３０、第１直並列変換器（ＳＥＲＤＥＳ）１４０、第１コーディング部１５０、第２イーサネット信号処理部１６０、第２直並列変換器（ＳＥＲＤＥＳ）１７０、及び第１光送信器１８０を備える。
【００３２】
第１光受信器１１０は、上位ノードなどから第１イーサネット信号を受信する。ここで、第１光受信器１１０は、前記上位ノードなどと光伝送媒体を通じて連結され、前記光伝送媒体を通じて伝送される光信号タイプの前記第１イーサネット信号を電気信号に変換した後、第１復元器１２０に伝送する。
【００３３】
第１復元器１２０は、前記第１イーサネット信号を用いてクロック信号を復元できる。第１復元器１２０は、復元されたクロック信号を第１位相固定ループ１３０に伝送し、前記第１イーサネット信号を第１直並列変換器１４０に伝送する。
【００３４】
第１位相固定ループ１３０は、前記復元されたクロック信号から基準クロック信号を生成する。第１位相固定ループ１３０は、前記基準クロック信号を第１コーディング部１５０、第２イーサネット信号処理部１６０、及び第２直並列変換器１７０に伝送する。
【００３５】
第１直並列変換器１４０は、前記第１イーサネット信号を第２イーサネット信号と同じ伝送速度、すなわち、第２伝送速度を持つ第１内部信号で並列化して出力する。例えば、第１直並列変換器１４０は、１．２５Ｇｂｐｓの伝送速度を持つ１ビットの第１イーサネット信号を１２５Ｍｂｐｓの伝送速度を持つ１０ビットの第１内部信号で並列化して出力する。
【００３６】
第１コーディング部１５０は、前記基準クロック信号に応答して前記第１内部信号を符号化処理して出力する。ここで、前記基準クロック信号に応答するということは、第１コーディング部１５０が前記基準クロック信号に同期して前記第１内部信号を符号化処理して出力するということを意味し、以下、他の構成についての表現も同じ意味で解釈される。
【００３７】
第１コーディング部１５０は、第１デコーダ１５１及び第１エンコーダ１５３を備える。
【００３８】
前記第１デコーダ１５１は、前記基準クロック信号に応答して前記第１内部信号を１０Ｂ８Ｂデコード処理して出力する。例えば、第１デコーダ１５１は、１２５Ｍｂｐｓの伝送速度を持つ１０ビットの第１内部信号を１２５Ｍｂｐｓの伝送速度を持つ８ビットの信号にデコードして出力する。
【００３９】
続いて、第１エンコーダ１５３は、前記基準クロック信号に応答して１２５Ｍｂｐｓの伝送速度を持つ８ビットの信号にデコードされた第１内部信号を１２５Ｍｂｐｓの伝送速度を持つ９ビットの信号にエンコードして出力する。
【００４０】
ここで、１０Ｂ８Ｂデコード処理及び８Ｂ９Ｂエンコード処理は、ＩＥＥＥ  ８０２．３規格による符号化処理を意味し、第１コーディング部１５０は、ＩＥＥＥ  ８０２．３規格による符号化処理を行える他のデコーダ及び／またはエンコーダで構成されてもよい。
【００４１】
第２イーサネット信号処理部１６０は、媒体接近制御（ＦＥ  ＭＡＣ）１６１及び物理階層（ＦＥ  ＰＨＹ）１６３を備える。媒体接近制御１６１は、前記第２伝送速度を持つ前記第２イーサネット信号を生成でき、物理階層１６３は、前記第２イーサネット信号を前記基準クロック信号に同期させて第２直並列変換器１７０に伝送できる。
【００４２】
第２直並列変換器１７０は、前記基準クロック信号に応答して第１コーディング部１５０によって符号化処理された第１内部信号及び前記第２イーサネット信号を前記第１伝送速度を持つように直列化して、多重化されたイーサネット信号を出力する。
【００４３】
例えば、第２直並列変換器１７０は、１２５Ｍｂｐｓの伝送速度を持つ９ビットの信号に符号化処理された第１内部信号と１２５Ｍｂｐｓの伝送速度を持つ１ビットの第２イーサネット信号とを直列化して、１．２５Ｇｂｐｓの伝送速度を持つ前記多重化されたイーサネット信号を生成し、また出力する。
【００４４】
第１光送信器１８０は前記多重化されたイーサネット信号を光信号に変換し、光信号に変換された多重化されたイーサネット信号を伝送媒体３００を通じて第２ユニット２００に伝送する。
【００４５】
図３は、本発明の実施形態による第２ユニット２００の一部構成を概略的に示す図面である。図３を説明するに当って、図１を共に参照して説明するが、説明の便宜のために図１と重なる説明は省略する。
【００４６】
図１及び図３を参照すれば、第２ユニット２００は、第２光受信器２１０、第２復元器（ＣＤＲ）２２０、第２位相固定ループ（ＰＬＬ）２３０、第３直並列変換器（ＳＥＲＤＥＳ）２４０、デバイダ２５０、第２コーディング部２６０、第２イーサネット信号処理部２７０、第４直並列変換器（ＳＥＲＤＥＳ）２８０、及び第２光送信器２９０を備える。
【００４７】
第２光受信器２１０は、第１ユニット１００から多重化されたイーサネット信号を受信する。第２光受信器２１０は、光信号タイプの前記多重化されたイーサネット信号を電気信号に変換した後で第２復元器２２０に伝送する。
【００４８】
第２復元器２２０は、前記多重化されたイーサネット信号を用いてクロック信号を復元する。第２復元器２２０は、復元されたクロック信号を第２位相固定ループ２３０に伝送し、前記多重化されたイーサネット信号を第３直並列変換器２４０に伝送する。
【００４９】
第２位相固定ループ２３０は、前記復元されたクロック信号から基準クロック信号を生成する。ここで、前記基準クロック信号は、第１位相固定ループ１３０で生成された基準クロック信号に相応する。第２位相固定ループ２３０は、前記基準クロック信号をデバイダ２５０、第２コーディング部２６０、及び第２イーサネット信号処理部２７０に伝送する。
【００５０】
第３直並列変換器２４０は、前記多重化されたイーサネット信号を第２イーサネット信号と同じ伝送速度、すなわち、第２伝送速度を持つ第２内部信号で並列化して出力する。例えば、第３直並列変換器２４０は、１．２５Ｇｂｐｓの伝送速度を持つ１ビットの多重化されたイーサネット信号を、１２５Ｍｂｐｓの伝送速度を持つ１０ビットの第２内部信号で並列化して出力する。
【００５１】
デバイダ２５０は、前記基準クロック信号に応答して前記第２内部信号から前記第２イーサネット信号と第３内部信号とを分離して出力する。
【００５２】
例えば、デバイダ２５０は、１２５Ｍｂｐｓの伝送速度を持つ第２内部信号から１２５Ｍｂｐｓの伝送速度を持つ１ビットの第２イーサネット信号と１２５Ｍｂｐｓの伝送速度を持つ９ビットの第３内部信号とを分離して出力する。
【００５３】
デバイダ２５０は、分離された前記第２イーサネット信号を第２イーサネット信号処理部２７０に伝送し、前記第３内部信号を第２コーディング部２６０に伝送する。
【００５４】
第２コーディング部２６０は、前記基準クロック信号に応答して前記第３内部信号を符号化処理して出力する。第２コーディング部２６０は、第２デコーダ２６１及び第２エンコーダ２６３を備える。
【００５５】
第２デコーダ２６１は、前記基準クロック信号に応答して前記第３内部信号を９Ｂ８Ｂデコード処理して出力する。例えば、第３デコーダ１５１は、１２５Ｍｂｐｓの伝送速度を持つ９ビットの第３内部信号を、１２５Ｍｂｐｓの伝送速度を持つ８ビットの信号にデコードして出力する。
【００５６】
続いて、第２エンコーダ２６３は、前記９Ｂ８Ｂデコード処理された第３内部信号を８Ｂ１０Ｂエンコード処理して出力する。例えば、第２エンコーダ２６３は、前記基準クロック信号に応答して１２５Ｍｂｐｓの伝送速度を持つ８ビットの信号にデコードされた第３内部信号を、１２５Ｍｂｐｓの伝送速度を持つ１０ビットの信号にエンコードして出力する。
【００５７】
ここで、９Ｂ８Ｂデコード処理及び８Ｂ１０Ｂエンコード処理はＩＥＥＥ  ８０２．３規格による符号化処理を意味し、第２コーディング部２６０も第１コーディング部１５０と同様に、ＩＥＥＥ  ８０２．３規格による符号化処理を行える他のデコーダ及び／またはエンコーダで構成されてもよい。
【００５８】
第２イーサネット信号処理部２７０は、第１ユニット１００の第２イーサネット信号処理部１６０に対応する。第２イーサネット信号処理部２７０は、媒体接近制御（ＦＥ  ＭＡＣ）２７１及び物理階層（ＦＥ  ＰＨＹ）２７３を備える。物理階層２７３は、前記多重化されたイーサネット信号から分離された前記第２イーサネット信号を前記基準クロック信号に同期させて媒体接近制御２７１に伝送し、媒体接近制御２７１は、前記第２イーサネット信号に基づいて第１ユニット１００の第２イーサネット信号処理部１６０から提供されるコマンドなどを行う。
【００５９】
第４直並列変換器２８０は、前記基準クロック信号に応答して第２コーディング部２６０によって符号化処理された第３内部信号を、前記第１伝送速度を持つように直列化して出力する。すなわち、第４直並列変換器２８０は、前記符号化処理された第３内部信号を、第１ユニット１００に入力された前記第１イーサネット信号に復元して出力する。例えば、第４直並列変換器２８０は、１２５Ｍｂｐｓの伝送速度を持つ１０ビットの信号に符号化処理された第３内部信号を直列化して、１．２５Ｇｂｐｓの伝送速度を持つ第１イーサネット信号を出力する。
【００６０】
第２光送信器２９０は、前記第１イーサネット信号を光信号に変換し、前記第１イーサネット信号を光伝送媒体、ＵＴＰケーブルのような伝送媒体を通じて加入者または下位ノードなどに伝送する。
【００６１】
以上、本発明を望ましい実施形態を挙げて詳細に説明したが、本発明は、前記実施形態に限定されず、本発明の技術的思想及び範囲内で当業者によって多様な変形及び変更ができる。
【図１】
0006458274.tif 000002
【図２】
0006458274.tif 000003
【図３】
0006458274.tif 000004